(57)【要約】      （修正有）【課題】携帯電話に充電機を取り付けても使いやすさをそこなう事なく、これからの大容量通信化時代に耐用できるようにする。【解決手段】携帯電話と充電機を一体化することによって、充電中の使用にも充電機のわづらわしさを感じることなく携帯電話を使用できることを特徴とした。【選択図】図７
0003123434.tif 000002
【実用新案登録請求の範囲】
【請求項１】
携帯電話の充電機であって、本充電機は、携帯電話と一体型にすることを特徴とする充電式充電機台
【請求項２】
前記充電機は充電式電池を使用し、充電機に充電機能を有することを特徴とする請求項１記載の充電式充電機台
【請求項３】
前記充電機は「ＯＮ」「ＯＦＦ」スイッチを付ける事によって携帯電話を使用する時にだけなど、必要な時にスイッチを「ＯＮ」にして携帯電話本体のバッテリーの消耗を防ぐ機能を特徴とする請求項２記載の充電式充電機台。
【考案の詳細な説明】
【技術分野】
【０００１】  本考案は、携帯電話にくっつけて使用する携帯電話一体型充電機に関する。
（背景技術）【０００２】  従来、携帯電話の充電機は、携帯電話に差し込むタイプが主流である。【０００３】  従来、携帯電話の充電機は乾電池式で充電式ではない。
（考案が解決しようとする課題）【０００４】  上述の如く、従来技術に係る携帯電話充電機は、差し込み型として使用されていて、本考案の一体型としては使用されていない。【０００５】  現在ある充電機では、差し込んだままでの使用では、不便さを感じることが有る。【０００６】  現在の携帯電話の充電機は、乾電池式しかなく、１回か２回の使用で乾電池を交換しなければならないのが現状である。
（課題を解決するための手段）【０００７】  上述の目的を達成する本考案の携帯電話の充電式充電機台は、携帯電話を充電機と一体型にし、充電台として使用することにより、充電機としての、わづらわしさを無くす物を特徴とする。【０００８】  本考案の充電式充電機台は、乾電池から充電式電池にすることにより、乾電池を取り替える手間を省き尚、環境問題にも考慮したこと。【０００９】  充電式充電機台から携帯電話を取り外す事なく、一体型として取り付けたまま充電でき、取り付け取り外すわづらわしさを無くしたことを特徴とする。【００１０】  又、「ＯＮ」「ＯＦＦ」スイッチを付ける事により、必要な時だけ充電できる用にした事を特徴とする。
（考案の効果）【００１１】  以上説明したように本考案によれば、電源スイッチのの有る充電機台として、携帯電話と充電機を一体型にし、携帯電話を自然に使用できる用にした物である。
よって、これからのＩＴ情報化時代、又、パケット定額制による大容量通信に耐用するに極めて有効である。
（考案を実施するための最良の形態）【００１２】  以下、本考案の実施の形態を図面に基き詳細に説明する。【００１３】  図１〜図６は、本考案の実施の形態に係り、図１はその外観斜視図、図２はその横方向から見た図、図３はその裏方向から見た図、図４はその伸縮ヅメ部の横断面図、図５はその伸縮ヅメが伸びた時の横断面図、図６はその電気回路図、図７は携帯電話を取り付けた状態の図である。【００１４】  図１、図７に示すように、充電式充電機台１１は充電機本体１２にツメ２１と伸縮ヅメ１６を付けてどんな携帯電話にも合うようにし、携帯電話と充電機本体１２を一体化できるようにしたものである。【００１５】  充電機本体１２には収納式コンセント１８が内蔵されている。【００１６】  パイロットランプ１３は、充電が完了するとランプが消灯又は、ランプの色が変わり充電完了を知らせる。【００１７】  「ＯＮ」「ＯＦＦ」スイッチ１４で携帯電話に充電するか、しないかを手もとで操作できる。よって充電機本体１２から携帯電話を外すことなく、又充電用ジャック１５も外すことなく一体化のままで手間を省くことができる。【００１８】  充電式電池１９を使用することにより、電池を取り替える手間なく、本体収納型コンセント１８をコンセントに差し込むだけで充電が簡単にできる。【００１９】  充電中の充電式充電台１１に携帯電話を付けることにより、充電式電池１９と携帯電話本体の両方向の充電が同時に可能である。【００２０】  又、携帯電話と充電機本体１２の取り付けは、ツメによって一体化されているが、ツメに限るものではない。例えば、磁石、マジックテープ、両面テープなどの吸着剤が利用でき、形状、大きさも任意に選定することができる。【００２１】  さらに、実施例では、充電式電池１９について説明しているが、１００Ｖ電源の無い地域、例えば山岳地域や海上などのように充電が困難な地域の為にも充電式電池に限るものではないとする。
【図面の簡単な説明】
【００２２】（図１）
本考案の実施の形態に係る充電式充電機台の外観斜視図である。
（図２）
図１の充電式充電機台の横方向から見た図である。
（図３）
図１の充電式充電機台の裏方向から見た図である。
（図４）
図１の充電式充電機台の伸縮ヅメがある所の横断面図である。
（図５）
図４の伸縮ヅメが伸びた所の横断面図である。
（図６）
図１の充電式充電機台の電気回路図である。
（図７）
図１の充電式充電機台に携帯電話を取り付けた状態の図である。
【符号の説明】
【００２３】１１  充電式充電機台
１２  充電機本体
１３  パイロットランプ
１４  「ＯＮ」「ＯＦＦ」スイッチ
１５  充電用ジャック
１６  伸縮ヅメ
１７  すべり止め
１８  本体収納型１００Ｖ用コンセント
１９  充電式電池
２０  バネ
２１  ツメ
【図１】
0003123434.tif 000003
【図２】
0003123434.tif 000004
【図３】
0003123434.tif 000005
【図４】
0003123434.tif 000006
【図５】
0003123434.tif 000007
【図６】
0003123434.tif 000008
【図７】
0003123434.tif 000009
【手続補正書】
【提出日】平成17年11月21日(2005.11.21)
【手続補正１】
【補正対象書類名】実用新案登録請求の範囲
【補正対象項目名】請求項１
【補正方法】変更
【補正の内容】
【請求項１】
携帯電話の充電式充電機台であって、本充電式充電機台は両側に２本又は４本のツメを持ち、そのツメはバネ等の力で内側に引っ張る力を持っている伸縮ヅメで、その伸縮ヅメの力で携帯電話を両側から挟み込み、充電用ジャックを携帯電話につなぐようにした。そうすることにより、携帯電話と充電式充電機台を一体型にすることを特徴とする充電式充電機台。
【手続補正書】
【提出日】平成18年4月7日(2006.4.7)
【手続補正１】
【補正対象書類名】実用新案登録請求の範囲
【補正対象項目名】全文
【補正方法】変更
【補正の内容】
【実用新案登録請求の範囲】
【請求項１】
携帯電話の充電式充電機台であって、本充電式充電機台は両側に２本又は４本のツメを持ち、そのツメはバネ等の力で内側に引っ張る力を持っている伸縮ヅメで、その伸縮ヅメで携帯電話を両側から挟み込み充電用ジャックを携帯電話につなぐようにして、携帯電話と充電式充電機台を一体型にすることを特徴とする充電式充電機台。
【請求項２】
前記充電式充電機台は充電式電池を使用して充電機に充電機能を有することを特徴とする請求項１記載の充電式充電機台。
【請求項３】
前記充電式充電機台は「ＯＮ」「ＯＦＦ」のスイッチを付ける事によって携帯電話を使用する時だけなど必要な時にスイッチを「ＯＮ」にして充電式充電機台の充電式電池の消耗を防ぐ機能を有することを特徴とする請求項２記載の充電式充電機台。